(57)【要約】【課題】プラスチックフィルム製の使い捨て手袋において、指全体に対するフィット性を高めて使用性を向上させることにある。【解決手段】重合した２枚のプラスチックフィルム１，２を、手袋の輪郭線３に沿って熱溶着すると共に裁断することにより手袋を形成し、５つの指挿入部６，７，８，９，１０のうち少なくとも一部の指挿入部の指根部から指先部にかけての複数箇所に、該指挿入部の内径を絞るための絞り部１１，１２を形成する。【選択図】図１
2007169822.tif 000002
【特許請求の範囲】
【請求項１】
重合した２枚のプラスチックフィルムを手袋の輪郭線に沿って熱溶着しかつ裁断することにより形成され、５つの指挿入部のうち少なくとも一部の指挿入部が、指根部から指先部にかけての複数箇所に、該指挿入部の内径を絞るための絞り部を有することを特徴とする使い捨て手袋。
【請求項２】
上記絞り部が、上記指挿入部における指根部寄りの位置と指先部寄りの位置との２箇所に設けられていることを特徴とする請求項１に記載の使い捨て手袋。
【請求項３】
上記絞り部が、上記輪郭線より内側の該輪郭線から離れた位置に、２枚のプラスチックフィルムを部分的に熱溶着した溶着部を設けることにより形成されていて、該溶着部と上記輪郭線との間に、上記絞り部の両側の指先部側部分と指根部側部分とを連通させるためのバイパス路を有することを特徴とする請求項１又は２に記載の使い捨て手袋。
【発明の詳細な説明】
【技術分野】
【０００１】
本発明は、プラスチックフィルム製の使い捨て手袋に関するものである。
【背景技術】
【０００２】
従来、特許文献１に記載されているように、装着中に指からずれにくい構成を備えた使い捨て手袋が知られている。これは、指部の付け根まわりにおいて手袋の輪郭線より内側を部分的に熱溶着することで、上記指部の径を絞り、装着時に使用者の指部から脱げる方向にずれ動きにくいように形成したものである。
【０００３】
ところが、上記特許文献１の使い捨て手袋は、指部の付け根部においては上記熱溶着部によって使用者の指によくフィットするためずれにくいが、指部の先端部付近においては指とのフィット性が悪いため指に対してずれやすく、物を掴んだり細かい作業がしづらいという問題があった。
【特許文献１】特開２００２−３１７３２０号公報
【発明の開示】
【発明が解決しようとする課題】
【０００４】
そこで本発明の目的は、プラスチックフィルム製の使い捨て手袋において、指全体に対するフィット性を高めて使用性を向上させることにある。
【課題を解決するための手段】
【０００５】
上記課題を解決するため、本発明の使い捨て手袋は、重合した２枚のプラスチックフィルムを手袋の輪郭線に沿って熱溶着しかつ裁断することにより形成され、５つの指挿入部のうち少なくとも一部の指挿入部が、指根部から指先部にかけての複数箇所に、該指挿入部の内径を絞るための絞り部を有することを特徴とするものである。
【０００６】
本発明においては、上記絞り部を、上記指挿入部における指根部寄りの位置と指先部寄りの位置との２箇所に設けることができる。
【０００７】
本発明において、上記絞り部が、上記輪郭線より内側の該輪郭線から離れた位置に、２枚のプラスチックフィルムを部分的に熱溶着した溶着部を設けることにより形成されていて、該溶着部と上記輪郭線との間に、上記絞り部の両側の指先部側部分と指根部側部分とを連通させるためのバイパス路を有していてもよい。  
【発明の効果】
【０００８】
本発明の使い捨て手袋によれば、指挿入部の指根部から指先部にかけての複数箇所に内径を小さくするための絞り部を設けたことにより、該指挿入部全体が手指と良好にフィットしてずれ動きにくくなり、作業時に手袋が脱げる方向へのずれ動きが抑えられるだけでなく、指先で細かな作業を行うことができる。
【発明を実施するための最良の形態】
【０００９】
図１は、本発明に係る使い捨て手袋の一実施形態を示すものである。この使い捨て手袋は、２枚のプラスチックフィルム１，２を互いに重ね合わせ、輪郭線３が第１指から第５指までの手指を各々挿入する５つの指挿入部６，７，８，９，１０を備えた手袋形状になるように熱溶断すると共に、手の平部４の基端部の開口部５を除いて上記輪郭線３を熱溶着して形成されている。この手袋は、上記開口部５から手指を差込み５本の指挿入部６，７，８，９，１０に各指を挿入して着用する。
【００１０】
上記各指挿入部６，７，８，９，１０には、それぞれ、指根部から指先部にかけての複数ヶ所に、該指挿入部６，７，８，９，１０の内径を絞るための絞り部１１，１２が設けられている。図示した例では、各指挿入部６，７，８，９，１０における指根部寄りの位置と指先部寄りの位置、換言すれば、手指の付け根部分と第１関節とに対応する２ヶ所の位置に絞り部１１，１２が設けられている。これらの絞り部１１，１２は、上記２枚のプラスチックフィルム１，２を、上記輪郭線３より内側の該輪郭線３と僅かな間隔を置いた位置で部分的に熱溶着して左右一対の溶着部１１ａ，１２ａを設けることにより形成されたもので、該溶着部１１ａ，１２ａにおいて指挿入部６，７，８，９，１０の指根部及び指先部の内径が絞られている。よって、手指を各指挿入部６，７，８，９，１０に挿入させて指先を該指挿入部６，７，８，９，１０の指先部付近まで挿通させると、指根部側の絞り部１１が指の付け根付近とフィットし、指先部側の絞り部１２が指先付近とフィットする。
【００１１】
上記溶着部１１ａ，１２ａは、指根部寄りの左右両側位置と指先部寄りの左右両側位置とにそれぞれ相対するように設けられ、指の挿入方向に直線状をしている。また、上記溶着部１１ａ，１２ａと輪郭線３との間は、各絞り部１１，１２の両側の部分である指先側部分と指根部側部分とを相互に連通させるためのバイパス路１３，１４となっていて、これらのバイパス路１３，１４を通じて、各指挿入部６，７，８，９，１０の内部と手袋の手の平部４の内部とが連通している。これにより、手指を各指挿入部６，７，８，９，１０に挿入すると、該指挿入部６，７，８，９，１０における指先部側の空気がこのバイパス路１３および１４を通って開口部５方向に逃げ、指先部側に封じこめられることがないため、手袋の装着を円滑にすることができる。
【００１２】
なお、上記溶着部１１ａ，１２ａは、指先部側に向けて直線状に形成されているが、内に凸の形に湾曲する弧状であっても、波状であってもよい。
【００１３】
上記使い捨て手袋において、指挿入部６，７，８，９，１０に上記開口部５を通じて手指を挿入すると、各指挿入部６，７，８，９，１０の指根部及び指先部に設けた２つの絞り部１１，１２の位置で該手袋が手指を良好にフィットし、該手袋が脱げる方向へずれ動くのが抑止される。このため、手指に対する上記各指挿入部６，７，８，９，１０のフィット性が向上し、ずれ動きが防止されるため、指先で物を掴んだりする細かな作業を円滑に行うことができる。
また、指挿入部６，７，８，９，１０に手指を挿入する際、指挿入部先端側の空気は上記バイパス路１３，１４を通って開口部５方向へ逃げていくので、上記絞り部１１，１２が形成されていても、各指をそれぞれの指挿入部６，７，８，９，１０の先端まで容易に且つ円滑に挿入することができる。
【００１４】
上記実施例では、すべての指挿入部６，７，８，９，１０にそれぞれ指根部側と指先部側の２つの絞り部１１，１２を設けているが、例えば親指と人差し指と中指に対応する一部の指挿入部６，７，８だけに２つの絞り部１１，１２を設け、その他の指挿入部９，１０には指根部側の絞り部１１だけを設けてもよい。あるいは、特に気密性や液密性を必要としない手袋の場合で、微細な孔が開いた多孔質のフィルムなどで形成されているような場合には、上記バイパス路１３，１４が必要ないため、輪郭線３の内側に上記溶着部１１ａ，１２ａを設ける代わりに、該輪郭線３自体を上記溶着部１１ａ，１２ａの位置を通るように内側に湾曲させることにより絞り部を形成することもできる。
【図面の簡単な説明】
【００１５】
【図１】本発明に係る使い捨て手袋の一実施形態を示す平面図である。
【符号の説明】
【００１６】
１，２    プラスチックフィルム
３    輪郭線      
６，７，８，９，１０    指挿入部
１１，１２    絞り部
１１ａ，１２ａ    溶着部
１３，１４    バイパス路
【図１】
2007169822.tif 000003